(57)【要約】      （修正有）【課題】地震の震動に影響されることの少ない家屋を提供する。【解決手段】家屋の居住部分３０１を上部の梁１０３より吊り上げて振り子のように自由に動くことができるようにして免震の効果を得る構造とする。屋根１０４を躯体１０１の上部に設置することにより、屋根１０４の重量が直接家屋の居住部分に影響しない構造とする。上記を実現するため形鋼や鋼管などを使用して躯体１０１を作り、棒鋼等で作られた吊りボルトや組合せ連結棒や弾性連結棒等を取り付け、家屋の居住部３０１を宙づりの状態にして免震するようにした構造を持ち、地震の震動に影響されることの少ない家屋とする。【選択図】図１
2014169567.tif 000002
【特許請求の範囲】
【請求項１】
鋼材を用いて躯体を作り、
躯体の複数の柱と吊り上げられる居住部分とは遊動して免震するための隙間をもたせて配置し、
躯体の上部と家屋の居住部分との間は連結棒を複数用いて遊動自在に吊り上げて横揺れを吸収して免震する建築物。
【請求項２】
請求項１の構造で、
躯体の上部と居住部分に吊りボルト及び繋ぎ合わせ式連結棒や弾性連結棒やワイヤーや鎖等を組み合わせた吊り材セットを複数用いて居住部分を遊動自在に吊り上げて横揺れや縦揺れを吸収して免震する建築物。
【請求項３】
請求項１の構造で、
躯体の上部や居住部分に弾性材付き吊りボルトと吊りボルト及び繋ぎ合わせ式連結棒やワイヤーや鎖等を組み合わせた吊り材セットを複数用いて遊動自在に居住部分を吊り上げて横揺れや縦揺れを吸収して免震する建築物。
【請求項４】
鋼材を用いて躯体を作り躯体の複数の柱を管で作り、
該管でできた柱と居住部分の台座との間には遊動して免震するための隙間を持たせて配置し、
管の上部には居住部分を吊り上げるための吊り材セットを取り付けられるようにし、
管の下部には該吊り材セットと居住部分の台座を繋ぐ為の横穴を持ち居住部分の台座に設置した取り付け部材を該横穴に免震のための隙間をもって遊動自在に貫通させ該管の径は管に明けられた横穴と取り付け部材との隙間の寸法が該管でできた柱と居住部分の台座との隙間と等しい間隔を有し、且つ管が柱としての強度を十分に保つことができる寸法とし、
吊りボルトや弾性材付き吊りボルトや繋ぎ合わせ式連結棒やワイヤーや鎖等を組み合わせた吊り材セットを各管の内部に垂下して該管上部の吊り材セットを取り付部と家屋の台座に設置した取り付け部材との間に取り付け、
家屋の居住部分を遊動自在に吊り上げることにより横揺れや縦揺れを吸収して免震する建築物。
【請求項５】
請求項１乃至請求項４の構造で、
躯体の構造と柱をトラス構造にした免震建築物。
【請求項６】
請求項１乃至請求項４の構造で、
躯体の上方に屋根を取り付けた免震建築物。
【請求項７】
請求項１乃至請求項４の構造で、居住部分の底部と基礎の間にダンパーを取り付けて惰性の揺れを押さえるようにした免震建築物。  
【発明の詳細な説明】
【技術分野】
【０００１】
本発明は免震の効果をもたらす建築物に関する。
【背景技術】
【０００２】
一般に従来の家屋は地面に基礎を造り、その基礎の上に躯体を組み立てる。躯体は基礎に固定される。よって地震の力が直接、躯体に損害を及ぼす。
【先行技術文献】
【特許文献】
【０００３】
【特許文献１】特開２００４−０１１３１８
【特許文献２】特開２００１−９０３７４
【特許文献２】特開２００２−１４７０５７
【発明の概要】
【発明が解決しようとする課題】
【０００４】
阪神淡路大震災では６０００人以上が死亡し、その８割は家屋の下敷きによる圧死であった。倒壊は多くの場合二階建ての一階部分におきた。そのような惨劇を繰り返すことが無いようにしたい。従来からある建築物は居住部分と躯体は一体をなし基礎部分に固定されている。それがため建築物全体が直接地震の揺れの作用を受ける。また従来からある建築物は重量の大きい屋根が躯体の上部に固定されているので、屋根の重量が躯体に対して大きなモーメントとして働く。従来の建築物は地震の上下動に対しての対策がない。また従来からある耐震建築物は地震による家屋の倒壊を防ぐが免震しないので、家屋内のタンス、食器棚、ピアノなどの家具や備品そして人体にも衝撃を与え転倒を引き起こす。このように躯体の倒壊や室内の建具や家具の転倒などによる人的被害が発生する。
【課題を解決するための手段】
【０００５】
上記のような問題を解決するため請求項１に係る発明は鋼材を用いて躯体を作り、躯体の複数の柱と吊り上げられる居住部分とは遊動して免震するための隙間をもたせて配置し、躯体の上部と家屋の居住部分との間は連結棒を複数用いて遊動自在に吊り上げて横揺れを吸収して免震する建築物に関するものである。
【０００６】
請求項２に係る発明は請求項１の構造で、躯体の上部と居住部分に吊りボルト及び繋ぎ合わせ式連結棒や弾性連結棒やワイヤーや鎖等を組み合わせた吊り材セットを複数用いて居住部分を遊動自在に吊り上げて横揺れや縦揺れを吸収して免震する建築物に関するものである。
【０００７】
請求項３に係る発明は請求項１の構造で、躯体の上部や居住部分に弾性材付き吊りボルトと吊りボルト及び繋ぎ合わせ式連結棒やワイヤーや鎖等を組み合わせた吊り材セットを複数用いて遊動自在に居住部分を吊り上げて横揺れや縦揺れを吸収して免震する建築物に関するものである。
【０００８】
請求項４に係る発明は鋼材を用いて躯体を作り躯体の複数の柱を管で作り、
該管でできた柱と居住部分の台座との間には遊動して免震するための隙間を持たせて配置し、
管の上部には居住部分を吊り上げるための吊り材セットを取り付けられるようにし、
管の下部には該吊り材セットと居住部分の台座を繋ぐ為の横穴を持ち居住部分の台座に設置した取り付け部材を該横穴に免震のための隙間をもって遊動自在に貫通させ該管の径は管に明けられた横穴と取り付け部材との隙間の寸法が該管でできた柱と居住部分の台座との隙間と等しい間隔を有し、且つ管が柱としての強度を十分に保つことができる寸法とし、
吊りボルトや弾性材付き吊りボルトや繋ぎ合わせ式連結棒やワイヤーや鎖等を組み合わせた吊り材セットを各管の内部に垂下して該管上部の吊り材セットを取り付部と家屋の台座に設置した取り付け部材との間に取り付け、
家屋の居住部分を遊動自在に吊り上げることにより横揺れや縦揺れを吸収して免震する建築物に関するものである。
【０００９】
請求項６に係る発明は請求項１乃至請求項４の構造で、
躯体の構造と柱をトラス構造にした免震建築物に関するものである。
【００１０】
請求項６に係る発明は請求項１乃至請求項４の構造で、躯体の上方に屋根を取り付けた免震建築物に関するものである。
【００１１】
請求項７に係る発明は請求項１乃至請求項４の構造で、居住部分の底部と基礎の間にダンパーを取り付けて惰性の揺れを押さえるようにした免震建築物に関するものである。
【発明の効果】
【００１２】
直接地震の衝撃を受けるのは形鋼や鋼管で作った躯体である。本発明は上部の梁と台座の間が長い吊り材セットで連結されているので地震の震動を長周期にすることができる。また長い吊り材セットを用いるため横方向の揺れが水平運動に近い動きをするので横揺れに伴う上下動は小さくなる。
【００１３】
上部より吊り上げて宙づりの状態の家屋の居住部分３０１は弾性連結棒２０３や弾性材付き吊りボルト２０５を使用することによって上下動を吸収することができる。
【００１４】
屋根１０４と居住部分３０１が分離していてパラソルをさした構造で通風するので屋根裏に熱がこもらず夏期の室温が大きくならない。
【００１５】
本発明は構造が単純であり補修が簡単である。住居部分３０１に直接過大な力がかからないため軽量化が可能で、そのため安価で確実な性能の免震建築物を提供できる。
【図面の簡単な説明】
【００１６】
【図１】本発明の実施の一例を示す側面図
【図２】図１の柱の配置の説明図
【図３】連結棒を梁と台座に取り付ける吊り材セットの図
【図４】梁と台座に取り付けた吊りボルトに連結棒と弾性連結棒を取り付けて組み立てられた吊り材セットの図
【図５】弾性材を組み込んだ吊りボルトに連結棒を取り付けた吊り材セットの組み立て図
【図６】躯体に鋼管の柱を用いた例を示す側面図
【図７】図６の柱の配置の説明図
【図８】鋼管の柱の下部の断面図
【図９】鋼管の柱と床と取り付け部材の位置を示す平面図
【図１０】鋼管の柱と居住部分の床との位置が横揺れにより変位した状態を示す説明図
【発明を実施するための形態】
【００１７】
本発明の請求項１に関する免震構造を図１、図２、図３の具体例を用いて説明する。
【００１８】
建屋の居住部分３０１を吊り上げるため形鋼等を使用して躯体１０１を作り、基礎７０１の上にアンカーボルト等で固定する。
【００１９】
躯体の梁１０２に上部の取り付け穴１０６を複数個作る。
居住部分３０１全体を支える台座４０１に台座の取り付け穴１０７を複数個作る。
上部の取り付け穴１０６と台座の取り付け穴１０７は上下の位置が垂直に対応するように作る。
【００２０】
上部の取り付け穴１０６と台座の取り付け穴１０７を繋ぐために、棒鋼等で作られた吊り材セットとして図３に示す連結棒２０１を間に取り付け、家屋を宙づりの状態にして免震するようにした構造を持った建築物を作る。
【００２１】
躯体１０１の柱１０３と居住部分３０１は遊動して免震するための隙間６０１を介して揺動自在に設置して免震効果を得る建築物を造る。
【００２２】
本発明の請求項２に関する免震構造を図１、図２、図４の具体例を用いて説明する。
【００２３】
居住部分３０１を吊り上げるため形鋼等を使用して躯体１０１を作り、基礎５０１の上にアンカーボルト等で固定する。
【００２４】
躯体の梁１０２に上部の取り付け穴１０６を複数個作る。
居住部分３０１全体を支える台座４０１に台座の取り付け穴１０７を複数個作る。
上部の取り付け穴１０６と台座の取り付け穴１０７は上下の位置が垂直に対応するように作る。
【００２５】
上部の取り付け穴１０６と台座の取り付け穴１０７を繋ぐために、棒鋼等で作られた吊り材セットを間に取り付け、家屋を宙づりの状態にして免震するようにした構造を持った家屋を作る。
【００２６】
上記の吊り材セットは図４に示すように繋ぎ合わせ式連結棒２０２、弾性連結棒２０３、吊りボルト２０４を繋ぎ合わせて取り付ける。
【００２７】
または上記の吊り材セットはチエーンやワイヤー等を用いて行うこともできる。
【００２８】
躯体１０１の柱１０３と居住部分３０１は遊動して免震するための隙間６０１を介して揺動自在に設置して免震効果を得る建築物を作る。
【００２９】
本発明の請求項３に関する免震構造を図１、図２、図５の具体例を用いて説明する。
【００３０】
居住部分３０１を吊り上げるため形鋼等を使用して躯体１０１を作り、基礎７０１の上にアンカーボルト等で固定する。
【００３１】
躯体の梁１０２に上部の取り付け穴１０６を複数個作る。
居住部分３０１全体を支える台座４０１に台座の取り付け穴１０７を複数個作る。
上部の取り付け穴１０６と台座の取り付け穴１０７は上下の位置が垂直に対応するように作る。
【００３２】
上部の取り付け穴１０６と台座の取り付け穴１０７を繋ぐために、棒鋼等で作られた吊り材セットを間に取り付け、家屋を宙づりの状態にして免震するようにした構造を持った家屋を作る。
【００３３】
上記の吊り材セットは図５に示すように繋ぎ合わせ式連結棒２０２、弾性材付き吊りボルト２０５を繋ぎ合わせて取り付ける。
【００３４】
または上記の吊り材セットはチエーンやワイヤー等を用いて行うこともできる。
【００３５】
躯体１０１の柱１０３と居住部分３０１は遊動して免震するための隙間６０１を介して揺動自在に設置して免震効果を得る建築物を作る。
【００３６】
本発明の請求項４に関する免震構造を図６、図７、図８、図９、図１０の具体例を用いて説明する。
【００３７】
居住部分３０１を吊り上げるため鋼管の柱１０５や形鋼等を使用して躯体１０１を作り、基礎７０１の上にアンカーボルト等で固定する。
【００３８】
鋼管の柱１０５の上部の中心には上部の取り付け穴１０６を複数個作る。
鋼管の柱１０５の下部には鋼管の横穴５０１を作り取り付け部材４０２を遊動して免震するための隙間６０１と等しい隙間の間隔を備え揺動自在に貫通させる。  
【００３９】
居住部分３０１全体を支える台座４０１には取り付け部材の取り付け穴１０８を有する取り付け部材４０２を複数個取り付ける。
上部の取り付け穴１０６と取り付け部材の取り付け穴１０８は上下の位置が垂直に対応するように作る。
【００４０】
上部の取り付け穴１０６と取り付け部材の取り付け穴１０８を繋ぐために、棒鋼等で作られた吊り材セットを間に取り付け、家屋を宙づりの状態にして免震するようにした構造を持った家屋を作る。
【００４１】
上記の吊り材セットは繋ぎ合わせ式連結棒２０２、弾性連結棒２０３、吊りボルト２０４を繋ぎ合わせて取り付ける。
【００４２】
または上記の吊り材セットは弾性材付き吊りボルト２０５とチエーンやワイヤー等を用いて行うこともできる。
【００４３】
躯体１０１の鋼管の柱１０５と居住部分３０１は図１０に代表例として右方向、上方向、斜め方向の矢印に図示するように遊動して免震するための隙間６０１をもって揺動自在に設置して免震効果を得る建築物を作る。
【００４４】
本発明の請求項５に関する免震構造を図１、図６の具体例を用いて説明する。
【００４５】
請求項１乃至請求項４の免震構造建物の躯体１０１の上部には屋根１０４を取り付ける。屋根１０４は居住部分３０１とは隔離されているので居住区に荷重の影響を及ぼさない。
【００４６】
隔離している屋根１０４はパラソルのように居住部分３０１との間で通風するので屋根裏に熱がこもらず夏期の室温が大きくならないので省エネに効果がある。
【００４７】
本発明の請求項６に関しては、台座４０１と基礎７０１の間にダンパーを取り付け地震後の惰性の揺れを早期に制止する。また台風などの強風による居住部分３０１の揺れを制動する。
【符号の説明】
【００４８】
１０１  躯体１０２  梁１０３  柱１０４  屋根１０５  鋼管の柱１０６  上部の取り付け穴１０７  台座の取り付け穴１０８  取り付け部材の取り付け穴２０１  連結棒２０２  繋ぎ合わせ式連結棒２０３  弾性連結棒２０４  吊りボルト２０５  弾性材付き吊りボルト３０１  居住部分３０２  床３０３  居室４０１  台座４０２  取り付け部材４０３  吊り上げ位置（１０７、１０８と同一の位置）５０１  鋼管の横穴６０１  遊動して免震するための隙間７０１  基礎                          
【図１】
2014169567.tif 000003
【図２】
2014169567.tif 000004
【図３】
2014169567.tif 000005
【図４】
2014169567.tif 000006
【図５】
2014169567.tif 000007
【図６】
2014169567.tif 000008
【図７】
2014169567.tif 000009
【図８】
2014169567.tif 000010
【図９】
2014169567.tif 000011
【図１０】
2014169567.tif 000012